(57)【特許請求の範囲】
【請求項１】
軽量コアの表裏に、薄板鋼板によって構成される２枚の面材を貼り合わせ、それら面材の少なくとも吊元側の縁部にパネル端面をなす折曲部を形成するとともに、その折曲部の先端より更に内方に向けて折曲片を形成してなるパネルに適用されるものであって、
前記折曲片の蝶番取付位置近傍に、上下方向に所定間隔で開口する切欠部を設け、この切欠部内に、端面側及び表裏面側において面材に接触する補強部材と、面材との間にこの補強部材を介在させた状態で面材に支持される蝶番取付部材とを位置決め状態で収容して、この蝶番取付部材に蝶番を取り付けるようにし、
補強部材が、端面側を凹ませパネル中央側に突出する折曲リブを有し、この折曲リブの凹み内に面材の折曲片を収容するようにしていることを特徴とするパネルの蝶番取付構造。
【請求項２】
補強部材が、概略チャネル状のものであることを特徴とする請求項１記載のパネルの蝶番取付構造。
【請求項３】
折曲リブの一部に前記折曲片の切欠部に対応する切欠部を設け、これら折曲リブ及び折曲片の切欠部内に蝶番取付部材を位置決め状態で収容するようにしていることを特徴とする請求項１又は２記載のパネルの蝶番取付構造。
【請求項４】
蝶番取付部材が、切欠部の上縁と下縁の間に嵌り込む本体部と、この本体部から折曲リブを両側より挟み込み得る位置に向かって延びる延長部とを備えていることを特徴とする請求項１、２又は３記載のパネルの蝶番取付構造。
【発明の詳細な説明】
【０００１】
【発明の属する技術分野】
本発明は、軽量化されたドアパネル等に好適に適用可能なパネルの蝶番取付構造に関するものである。
【０００２】
【従来の技術】
例えば、パーティション・パネルの一部を構成するドアパネルとして、ペーパ等により構成される軽量コアと枠材とを、薄板鋼板などで構成される表裏パネルによって挟み込んだ上で、化粧部材を枠材にタッピングビス等で組み付け固定してなるものが従来使用されている。かかる構成は、この種のドアパネルがパーティション・パネルなどに使用される関係上、安定性や搬送性等の関係から重量をあまり大きくすることができないといった事情に鑑みたものである。そして、蝶番を取り付けるときのために、前記枠材にはタップ用の補強板が所定位置に予め溶接等により取り付けられている。
【０００３】
【発明が解決しようとする課題】
しかしながら、このような構成によっても、ドアパネルは依然としてある程度の重量物であり、また部品点数も多いため、一層の部品コストや製作工数の削減に対する要請がある。
【０００４】
このような実情に鑑みて、近時、軽量コアの表裏に、薄板鋼板によって構成される2枚の面材を貼り合わせ、それら面材の縁部に少なくともパネル端面をなす折曲部を形成するとともに、その折曲部の先端より内方に向けて更に折曲片を形成してなるパネルが考えられている。これによれば、少なくともパネルの更なる軽量化や部品点数の削減を図ることは可能である。
【０００５】
しかしながら、このようにすると、蝶番を取り付ける足場となっていた枠材がなくなるため、新たに蝶番を適正に取り付けることのできる取付構造を導入することが不可欠となる。また、従来のドアパネルは、補強板を所定の蝶番取付位置に溶接等により取り付けなければならず、その際に位置決めを始めとして組み付けに手間が掛かり面倒であった上に、パネルの製品寸法に応じた多品種少ロット生産が困難であったことから、新たに導入する蝶番取付構造においては、このような不具合も同時に解消されていることが好ましい。
【０００６】
【課題を解決するための手段】
上記の目的を達成するために、本発明は、軽量化されたパネルの構造を好適に利用して、蝶番を取り付けるための部材を位置決めすることなく簡単、確実に取り付けることのできる蝶番取付構造を提供しようとするものである。
【０００７】
【発明の実施の形態】
そのために、本発明に係るパネルの蝶番取付構造は、ペーパ等の軽量素材に強度を付与した軽量コアの表裏に、薄板鋼板によって構成される２枚の面材を貼り合わせ、それら面材の少なくとも吊元側の縁部にパネル端面をなす折曲部を形成するとともに、その折曲部の先端より更に内方に向けて折曲片を形成してなるパネルに適用するに際して、前記折曲片の蝶番取付位置近傍に、上下方向に所定間隔で開口する切欠部を設け、この切欠部内に、端面側及び表裏面側において面材に接触する補強部材と、面材との間にこの補強部材を介在させた状態で面材に支持される蝶番取付部材とを位置決め状態で収容して、この蝶番取付部材に蝶番を取り付けるようにし、補強部材が、端面側を凹ませパネル中央側に突出する折曲リブを有し、この折曲リブの凹み内に面材の折曲片を収容するようにしていることを特徴とする。
【０００８】
このような取付構造であると、補強部材及び蝶番取付部材が蝶番を取り付けるために必要な足場を提供するので、パネルを軽量簡素化したことによる不具合を有効に解消することができる。しかも、かかる切欠部の形成は予め面材を折曲加工等する段階において機械加工等により完了しておくことができるので、所定取付位置への補強部材及び蝶番取付部材の位置決めはこれを切欠部内に単に収容するだけによって実現されることとなる。さらに、本発明は補強部材及び蝶番取付部材を単体化するものであり、切欠部の位置さえ蝶番に対応させておけば同一の補強部材及び蝶番取付部材を用いて蝶番を有効に取り付けることができるため、パネルの製品寸法に応じた多品種小ロット生産にも有効に対応することが可能となる。その上、一対の面材が共通の補強部材及び蝶番取付部材に対して係わり合うため、面材同士の上下方向の位置合わせも同時に行うことが可能となる。また、補強部材が、端面側を凹ませパネル中央側に突出する折曲リブを有し、この折曲リブの凹み内に面材の折曲片を収容するようにしているので面材をパネル厚み方向に位置決めできる。
【００１０】
補強部材の簡素で有効な構成としては、該補強部材を概略チャネル状のものにしておくのが好ましい。
【００１２】
蝶番の取付強度を高めるためには、折曲リブの一部に前記折曲片の切欠部に対応する切欠部を設け、これら折曲リブ及び折曲片の切欠部内に蝶番取付部材を位置決め状態で収容するようにしていることが望ましい。
【００１３】
蝶番取付部材を安定して取り付けるためには、該蝶番取付部材が、切欠部の上縁と下縁の間に嵌り込む本体部と、この本体部から折曲リブを両側より挟み込み得る位置に向かって延びる延長部とを備えていることが望ましい。
【００１４】
【実施例】
以下、本発明の一実施例を、図面を参照して説明する。
【００１５】
図１は、本発明を適用したドアパネル１を上側面部分を省略して示す斜視図である。
【００１６】
このドアパネル１は、ペーパコア２の表裏に、薄板鋼板によって構成される2枚の面材３を貼り合わせ、それら面材３の少なくとも吊元側の縁部にパネル端面をなす折曲部３１を形成するとともに、その折曲部３１の先端より更に内方に向けて折曲片３２を形成したものであり、吊元側の縁部の上下2箇所を蝶番４によって開閉可能に支持するようにしている。
【００１７】
ペーパコア２は、ハニカム等の形態を通じて軽量さと強度を付与されているもので、ドアチェック取付用の構造体ａや窓ｂ、ドアノブ取付用の構造体ｃ等が埋め込まれる部位以外はほぼドア全体の領域に亘ってパネル１内に充填されている。
【００１８】
面材３は、前記ペーパコア２を両側からサンドイッチするようにそれぞれ表面及び裏面に適宜の接着構造によって貼り合わせられるもので、図1及び図2の一部破断斜視図に示すように、予め折曲加工によって吊元側の縁部をほぼ直角に2回折り曲げて前記折曲部３１及び折曲片３２を形成し、反吊元側の縁部を直角に折り曲げて折曲部３３（図1参照）を形成している。すなわち、表裏の面材３の折曲部３１が左右に隣接して従来パネルの端面化粧用のカバーに相当する機能を果たし、折曲片３２はその先端からパネル１の内部にほぼ重合状態で平行に入り込み、折曲部３１の収まりを良好なものにしている。
【００１９】
そして、上下の蝶番取付位置近傍において、前記折曲片３２に、上下方向に所定間隔で開口する切欠部３４を予め設けておき、この切欠部３４内に位置決め状態で構造要素５を収容して、この構造要素５に蝶番４の可動板４１を取り付けるようにしている。
【００２０】
切欠部３４は、前記所定間隔に亘る領域において折曲部３１から先の折曲片３２を水平方向に切除することによって形成された矩形状のものである。
【００２１】
一方、構造要素５は、この実施例の場合、補強部材６及び蝶番取付部材７から構成されている。
【００２２】
補強部材６は、板金素材を概略チャネル状に折り曲げ成形してなるもので、具体的には吊元側の端面を形成する折曲部３１の内面に接触した状態で支持される端板部６１と、この端板部６１から面材３の表裏面３０に平行に延びてそれらの内側に接触した状態で支持される一対の側板部６２とからなり、前記端板部６１の幅方向中央部分に、端面となる折曲部３１側を凹ませパネル中央側（ペーパコア２側）に突出する平断面Ｕ字状の折曲リブ６３を有している。この折曲リブ６３の一部には、前記折曲片３２の切欠部３４に対応する位置にほぼ同一上下間隔に亘って切欠部６４が設けてある。
【００２３】
一方、蝶番取付部材７は、切欠部３４，６４の上縁３４ａ、６４ａと下縁３４ｂ，６４ｂの間に嵌り込む本体部７１と、この本体部７１から折曲リブ６３を両側より挟み込み得る位置において上下方向に延びる延長部７２とを備えた平板Ｈ状のもので、その本体部７１には中央及びそれを中心とする四角形を想定したときの対角4箇所に厚み方向のねじ孔７３、７４が設けてある。
【００２４】
そして、前記パネル１のペーパコア２と面材３とを貼り合わせる製造工程において、例えばペーパコア２の両面に面材３を張り合わせるに先立って両面材３の吊元側の縁部の折曲部３１同士を隣接させ、且つ折曲片３２同士をほぼ重合させた状態で、構造要素５を構成する補強部材６と蝶番取付部材７とをその面材３の吊元側の縁部内に装着する。具体的には、図3に示すように、蝶番取付部材７の本体部７１を補強部材６の切欠部６４の上縁６４ａと下縁６４ｂの間に嵌め込み、その延長部７２間に折曲リブ６３を挟み込んだ状態にする。しかる後、この一体化した構造要素５を、補強部材６の折曲リブ６３の凹みが一対の面材３の折曲片３２を両側から抱くようにして該補強部材６の端板部６１が折曲部３１の内面に密着する位置にまで押し込み、結果的に互いに重畳した位置に開口するそれらの切欠部６４，３４内に蝶番取付部材７の本体部７１が装着された状態にする。このとき、適宜位置に溶接等を施してもよい。そして、吊元側で面材３の折曲部３３を端面側に巻き回し、面材３，３間の開口を閉じることによって、補強部材６の側板部６２と面材３の表裏面３０とが密着し、かつペーパコア２と面材３の表裏面３０とが密着して、このパネルの製造が完了される。図4〜図6はこのときの要部の取付状態を示している。
【００２５】
そして、このようにして製造されたドアパネル１に蝶番４を取り付けるにあたり、蝶番４の可動板４１には図２に示すように前記蝶番取付部材のねじ孔７３，７４に対応する位置にねじ通過孔４３，４４が設けてあり、可動板４１を前記パネル１の吊元側の端面に位置づけ、先ずパネル端面の中央に表出するねじ孔７３に対してねじ通過孔４３を通過させた図示しないねじを締め付けるとともに、残り４つのねじ孔７４に対して可動板４１のねじ通過孔４４を通過させたねじを締め付ける。これによって、可動板４１はパネル内部にある蝶番取付部材７に強固に固定され、この蝶番取付部材７は切欠部６４，３４等を介して補強部材６、ひいては面材３に的確に支持されて、該パネル１への蝶番４の取り付けが完了されることとなる。なお、面材３の折曲部３１及び補強部材６の端板部６１の適宜位置には、上述したねじの通過を許容するねじ通過孔が設けられている。図において符号３１ｃ、６１ｃは中央のねじ孔７３を表出させるために設けられた開口窓であり、蝶番４の取付位置を誘導する役割を果たしている。
【００２６】
以上のようにして、この実施例の蝶番取付構造は、面材３の折曲片３２の蝶番取付位置近傍に、上下方向に所定間隔で開口する切欠部３４を設け、この切欠部３４内に位置決め状態で構造要素５を収容して、この構造要素５に蝶番４を取り付けるようにしているものである。
【００２７】
このように、構造要素５が蝶番４を取り付けるために必要な足場を提供するので、パネル１を軽量簡素化したことによる不具合を有効に解消して、適正な取付状態を確保することができる。しかも、切欠部３４の形成は予め面材３を折曲加工等する段階において機械加工等により完了しておくことができるので、所定取付位置への構造要素５の位置決めは該構造要素５を切欠部３４内に単に収容するだで実現されることとなり、無造作に作業を行っても予め定めた所定位置に蝶番取付用のねじ孔７３，７４を的確に配置することが可能になる。さらに、本実施例は構造要素５を単体化するものであり、切欠部３４の位置さえ蝶番に対応させておけば同一の構造要素５を用いて蝶番４を有効に取り付けることができるため、パネル１の製品寸法に応じた多品種小ロット生産にも有効に対応することが可能となる。その上、一対の面材３が共通の構造要素５に対して係わり合うため、面材３同士の上下方向の位置合わせも同時に行うことができ、パネル1自体の定形性も有効に高めることが可能になる。
【００２８】
具体的な構造として、構造要素５を、端面側及び表裏面側において面材３に接触支持される補強部材６と、この補強部材６に取り付けられる蝶番取付部材７とから構成しているため、構造要素５を簡素に製作して面材３に適正に取り付けるための要件と、蝶番４を確実に取り付けるために必要なねじ孔７３，７４の穿孔個所の確保のための要件とを好適に満たす構造とすることができる。
【００２９】
特に、補強部材６を概略チャネル状の折り曲げ体としているため、製作を極めて簡単に行えるものとなっている。
【００３０】
さらに、補強部材６が、端面側を凹ませパネル中央側に突出する折曲リブ６３を有し、この折曲リブ６３の凹み内に面材３の折曲片３２を収容するようにしているため、面材３をパネル厚み方向に位置決めする効果が期待でき、また端部を構成する折曲部３１の浮き上がりも防止しながら端面処理を的確に行うことが可能となる。
【００３１】
さらに、折曲リブ６３の一部に前記折曲片３２の切欠部３４に対応する切欠部６４を設け、これら折曲リブ６３及び折曲片３２の切欠部６４，３４内に蝶番取付部材７を位置決め状態で収容するようにしているため、蝶番４の取付強度をより有効に高めることができる。特にこの実施例のものは、図５に明らかなように、蝶番取付部材７に実質的に緊密に嵌り合っているのは補強部材6側の切欠部６４の上縁６４ａ及び下縁６４ｂであり、相対的に強度の低い面材３の折曲片３２に設けた切欠部３４の上縁３４ａ及び下縁３４ｂはそこから若干離れた位置にあって、単にこの切欠部３４は補強部材６及び蝶番取付部材７を誘導する機能を果たしているだけであり、強度的には蝶番取付部材７は補強部材６に支持され、補強部材６は端板部６１及び側板部６２の全体において面材３に取り付いているため、蝶番４を取り付ける際の作業が簡単であるにも係わらず、高い取付強度を実現できているものである。
【００３２】
加えて、蝶番取付部材７が、切欠部６４の上縁６４ａと下縁６４ｂの間に嵌り込む本体部７１と、この本体部７１から折曲リブ６３を両側より挟み込み得る位置に向かって延びる延長部７２とを備えたＨ状をなすものであるため、この蝶番取付部材７の収まりが極めて良好で、ガタつき等の発生し難い的確な取付状態を実現可能としているものである。
【００３３】
なお、各部の具体的構成は、上述した実施例のみに限定されるものではなく、本発明の趣旨を逸脱しない範囲で種々変形が可能である。
【００３４】
【発明の効果】
本発明は、以上説明したような形態で実施され、以下に記載される効果を奏する。
【００３５】
すなわち、本発明に係るパネルの蝶番取付構造は、上述した軽量化タイプのパネルに蝶番を取り付けるに際して、パネルを構成する面材の折曲片の蝶番取付位置近傍に、上下方向に所定間隔で開口する切欠部を設け、この切欠部内に、端面側及び表裏面側において面材に接触する補強部材と、面材との間にこの補強部材を介在させた状態で面材に支持される蝶番取付部材とを位置決め状態で収容して、この蝶番取付部材に蝶番を取り付けるようにし、補強部材が、端面側を凹ませパネル中央側に突出する折曲リブを有し、この折曲リブの凹み内に面材の折曲片を収容するようにしたものである。
【００３６】
このため、従来の枠体に代わる蝶番取付のための足場を補強部材及び蝶番取付部材に求めることができ、簡素なパネルであっても適正な蝶番取付状態を実現することが可能となる。しかも、パネルの折曲片の所定位置に予め切欠部を設けておき、この切欠部をガイドとして補強部材及び蝶番取付部材を位置決め状態で取り付けることができるようにしているので、従来に比べて組み付け手順が極めて簡素になり、作業の便と作業効率とを格段に向上させることが可能となる。さらに、本発明は補強部材及び蝶番取付部材を単体化するものであり、切欠部の位置さえ蝶番に対応させておけば同一の補強部材及び蝶番取付部材を用いて蝶番を有効に取り付けることができるため、パネルの製品寸法に応じた多品種小ロット生産にも有効に対応することが可能となる。その上、前記切欠部を介して一対の面材間の位置合わせも行うことができるので、パネルの組み立て精度も有効に向上させることができる。加えて、補強部材が、端面側を凹ませパネル中央側に突出する折曲リブを有し、この折曲リブの凹み内に面材の折曲片を収容するようにしたものであれば、面材をパネル厚み方向に位置決めできる効果が奏され、パネルの端部処理もより見栄え良く適切に行えるものとなる。
【００３７】
具体的な実施の態様として、端面側及び表裏面側において面材に接触する補強部材と、面材との間にこの補強部材を介在させた状態で面材に支持される蝶番取付部材とを採用しているため、部品製作の容易性を損なわずに適正な蝶番取付状態を実現する上で有用なものとなる。
【００３８】
特に、補強部材を概略チャネル状のものにすれば、折曲加工のみの簡素な工程でこの補強部材を製作できるようになる。
【００４０】
折曲リブの一部に前記折曲片の切欠部に対応する切欠部を設け、これら折曲リブ及び折曲片の切欠部内に蝶番取付部材を位置決め状態で収容するようにしたものであれば、蝶番の取付強度をより一層効果的に高めることが可能になる。
【００４１】
さらに、蝶番取付部材が、切欠部の上縁と下縁の間に嵌り込む本体部と、この本体部から折曲リブを両側より挟み込み得る位置に向かって延びる延長部とを備えているものであれば、蝶番取付部材の収まりを良くしてガタつきのないより安定した取付状態を実現することが可能となる。
【図面の簡単な説明】
【図１】本発明の一実施例を適用したドアパネルの斜視図。
【図２】同実施例における蝶番取付構造を示す要部分解斜視図。
【図３】同実施例における蝶番取付工程のなかの経過的な状態を示す要部側断面図。
【図４】同蝶番取付構造を示す斜視図。
【図５】図4に対応した端面図。
【図６】図5におけるＶＩ−ＶＩ線断面図。
【符号の説明】
１…ドアパネル
２…ペーパコア
３…面材
４…蝶番
５…構造要素
６…補強部材
７…蝶番取付部材
３１…折曲部
３２…折曲片
３４…切欠部
６３…折曲リブ
６４…切欠部
７１…本体部
７２…延長部
【図１】
0003698020.tif 000002
【図２】
0003698020.tif 000003
【図３】
0003698020.tif 000004
【図４】
0003698020.tif 000005
【図５】
0003698020.tif 000006
【図６】
0003698020.tif 000007